(57)【要約】    【課題】  取付ボルトが支柱の歩道側に突き出ることがなく、しかも、車両が衝突しても変形しにくい防護柵の横桟取付金具を提供する。    【解決手段】  円筒状の保持部材１１とブラケット１２からなる横桟取付金具１であって、保持部材１１はその中央部を水平かつ長手方向に対して直角に貫通する工具挿入孔１５を有しかつ長手方向の両端部の底部にボルト挿入孔６を有するとともに、ブラケット１２は支柱固定ボルト４を通す貫通孔２０を有することを特徴とする、防護柵の横桟取付金具。【選択図】図２
2005264542.tif 000002
【特許請求の範囲】
【請求項１】
円筒状の保持部材とブラケットからなる横桟取付金具であって、保持部材はその中央部を水平かつ長手方向に対して直角に貫通する工具挿入孔を有し、かつ中央部の底部及び／又は長手方向の両端部の底部にボルト挿入孔を有するとともに、ブラケットは支柱固定ボルトを通す貫通孔を有することを特徴とする、防護柵の横桟取付金具。
【請求項２】
保持部材の内面に円筒状のインナースリーブを内蔵していることを特徴とする、請求項１に記載された防護柵の横桟取付金具。
【請求項３】
保持部材とブラケットが一体に接合されていることを特徴とする、請求項１又は２に記載された防護柵の横桟取付金具。
【請求項４】
ブラケットは、支柱取付壁に支柱固定ボルトを通す貫通孔を有し、かつその支柱取付壁の外面形状が支柱の外面形状と適合していることを特徴とする、請求項１から３までのいずれかに記載された防護柵の横桟取付金具。
【請求項５】
円筒状の保持部材とブラケットからなる横桟取付金具であって、保持部材はその中央部を水平かつ長手方向に対して直角に貫通する工具挿入孔を有し、かつ長手方向の両端部の底部にボルト挿入孔を有するとともに、ブラケットは支柱固定ボルトを通す貫通孔を壁板に有する筒状部材と、支柱固定ボルト用の貫通孔又はねじ穴を有する取付基台部材からなることを特徴とする、防護柵の横桟取付金具。
【請求項６】
保持部材の内面に円筒状のインナースリーブを内蔵していることを特徴とする、請求項５に記載された防護柵の横桟取付金具。
【請求項７】
取付基台部材の支柱側の外面形状が支柱の外面形状と適合していることを特徴とする、請求項５又は６に記載された防護柵の横桟取付金具。
【請求項８】
保持部材と筒状部材が一体に接合されていることを特徴とする、請求項５から７までのいずれかに記載された防護柵の横桟取付金具。
【請求項９】
筒状部材が、取付基台部材に対して支柱固定ボルトを通す貫通孔を回転軸として回転可能に嵌合されることを特徴とする、請求項５から８までのいずれかに記載された防護柵の横桟取付金具。
【請求項１０】
取付基台部材が、溶接によって支柱に接合されていることを特徴とする、請求項５から９までのいずれかに記載された防護柵の横桟取付金具。
【請求項１１】
隣接する支柱の間に複数段の横桟を取り付けて形成される防護柵であって、複数段の横桟のうち少なくとも１段の横桟が請求項１から１０までのいずれかに記載の横桟取付金具によって支柱に取り付けられていることを特徴とする防護柵。
【発明の詳細な説明】
【技術分野】
【０００１】
本発明は、車道と歩道との境界等に設置される防護柵の支柱に横桟を取り付ける金具及びそれを用いた防護柵に関するものである。
【背景技術】
【０００２】
車道と歩道との境界等に設置される防護柵は、長尺の鋼管などからなる横桟の複数本が隣接する支柱の間に取り付けられることにより、車両の走行から歩行者等を保護している。そして、支柱に横桟を取り付けるための取付金具は、支柱の歩道側に突起物を出さないようにした構造のものが、次の(i)〜(iv)に示すように、種々提案されている。
【０００３】
(i)特許文献１には、断面がほぼ半円筒状のパイプカバーと、断面がほぼ半円筒状の取付具本体からなる取付金具が記載されている。ここでは、パイプカバーと取付具本体とで２本のビームパイプの端部をボルトで挟持し、取付具本体に貫通する雌ネジに支柱を貫通する支柱取付ボルトを螺合し、横桟を支柱に取り付ける構造となっている。
【０００４】
(ii)特許文献２には、下金具、上金具および座金からなるビームパイプ取付金具が記載されている。ここでは、下金具にはビームパイプを支持する受け部とナットを回り止めする保持部を有する下側取付壁が設けられ、上金具には上側取付壁が設けられている。そして、下金具と上金具とでビームパイプを挟持し、下金具の下側取付壁、上金具の上側取付壁および座金とを貫通する固定ボルトによって支柱に固定されている。
【０００５】
(iii)特許文献３には、支柱に対して車道側の半円筒状の管部、支柱側の半円筒状の管部、円形支柱の外面に当接する第１補助部材、円形支柱の内面に当接する第２補助部材からなる横桟取付け用金具が記載されている。ここでは、支柱側の半円筒状の管部の長手方向中央部には中心に貫通孔を有するボス部が設けられ、第１補助部材、第２補助部材および円形支柱の車道側のそれぞれに貫通孔が設けられている。そして、支柱内側からボルトを挿入し、支柱側の半円筒状の管部の内面側にナットを螺合することによって、横桟が支柱に取り付けられる。
【０００６】
(iv)特許文献４には、円筒支柱の内面に鍔状に止まるストッパー部および支柱の外面に突き出るスリーブを有する目隠しナットが記載されている。そして、この目隠しナットをスリーブの雄ネジ部へ固定ナットを締め付けて固定し、スリーブの雌ネジ部にワンサイドボルトをねじ込むことによって、ガードパイプ等が直接または間接的にネジ止めされる。
【０００７】
【特許文献１】特開平７−２９２６３２号公報
【０００８】
【特許文献２】特開平１０−８８５３７号公報
【特許文献３】実用新案登録第３０１１７０１号公報
【特許文献４】特開２０００−２７１３４号公報
【発明の開示】
【発明が解決しようとする課題】
【０００９】
本発明の課題は、取付ボルトが支柱の歩道側に突き出ることがなく、しかも、車両が衝突しても変形しにくい防護柵の横桟取付金具及びそれを用いた防護柵を提供することにある。
【００１０】
上記の従来技術では、支柱の歩道側に突起物を出さないようにした構造の取付金具が提案されているが、横桟保持部材が上下または前後方向に二分割されているか、またはスリーブを挿入するものである。したがって、次のような問題点を有している。
【００１１】
取付金具を支柱へ取り付けるボルトは、(i)および(ii)の提案では、まだ取付ボルトの頭が支柱の歩道側に突き出ており、歩行者の衣服などを引っかけるおそれがあり、また外観を悪くしている。そして、(iii)および(iv)の提案では、ワンサイドボルトを使用するため、ボルトが支柱の歩道側に突き出ることはないが、支柱への取付部分の部品数が多く複雑となっている。
【００１２】
また、横桟の支柱への取付やワンサイドボルトの使用を容易にするために横桟保持部分を二分割する場合には、車両が衝突したとき変形または破壊され易い。
【課題を解決するための手段】
【００１３】
本発明は、次の(1)から(10)に示す防護柵の横桟取付金具と、次の(11)に示す防護柵に関する発明である。以下、(1)から(11)にかかる発明を総称して本発明ということがある。
【００１４】
(1)   円筒状の保持部材とブラケットからなる横桟取付金具であって、保持部材はその中央部を水平かつ長手方向に対して直角に貫通する工具挿入孔を有し、かつ中央部の底部及び／又は長手方向の両端部の底部にボルト挿入孔を有するとともに、ブラケットは支柱固定ボルトを通す貫通孔を有することを特徴とする、防護柵の横桟取付金具。
【００１５】
(2) 保持部材の内面に円筒状のインナースリーブを内蔵していることを特徴とする、上記(1)の防護柵の横桟取付金具。
【００１６】
(3) 保持部材とブラケットが一体に接合されていることを特徴とする、上記(1)又は(2)の防護柵の横桟取付金具。
【００１７】
(4) ブラケットは、支柱取付壁に支柱固定ボルトを通す貫通孔を有し、かつその支柱取付壁の外面形状が支柱の外面形状と適合していることを特徴とする、上記(1)〜(3)のいずれかの防護柵の横桟取付金具。
【００１８】
(5) 円筒状の保持部材とブラケットからなる横桟取付金具であって、保持部材はその中央部を水平かつ長手方向に対して直角に貫通する工具挿入孔を有し、かつ長手方向の両端部の底部にボルト挿入孔を有するとともに、ブラケットは支柱固定ボルトを通す貫通孔を壁板に有する筒状部材と、支柱固定ボルト用の貫通孔又はねじ穴を有する取付基台部材からなることを特徴とする、防護柵の横桟取付金具。
【００１９】
(6) 保持部材の内面に円筒状のインナースリーブを内蔵していることを特徴とする、上記(5)の防護柵の横桟取付金具。
【００２０】
(7)取付基台部材の支柱側の外面形状が支柱の外面形状と適合していることを特徴とする、上記(5)又は(6)の防護柵の横桟取付金具。
【００２１】
(8) 保持部材と筒状部材が一体に接合されていることを特徴とする、上記(5)〜(6)のいずれかの防護柵の横桟取付金具。
【００２２】
(9) 筒状部材が、取付基台部材に対して支柱固定ボルトを通す貫通孔を回転軸として回転可能に嵌合されることを特徴とする、上記(5)〜(8)のいずれかの防護柵の横桟取付金具。
【００２３】
(10) 取付基台部材が、溶接によって支柱に接合されていることを特徴とする、上記(5)〜(9)のいずれかの防護柵の横桟取付金具。
【００２４】
(11) 隣接する支柱の間に複数段の横桟を取り付けて形成される防護柵であって、複数段の横桟のうち少なくとも１段の横桟が、上記(1)〜(10)のいずれかの横桟取付金具によって支柱に取り付けられていることを特徴とする防護柵。
【発明の効果】
【００２５】
本発明によれば、取付ボルトが支柱の歩道側に突き出ることがなく、しかも、車両が衝突しても変形しにくい横桟取付金具及びそれを用いた防護柵を提供することができる。
【００２６】
また、筒状部材と取付基台部材からなるブラケットを用いる場合には、道路の勾配にあわせて支柱への取付角度を調整することができるので、支柱への取付作業が容易な横桟取付金具及びそれを用いた防護柵を提供することができる。
【００２７】
特に、ブラケットを構成する筒状部材と取付基台部材として、ともに円筒形状のものを用いる場合には、支柱への取付角度を調整しても、部材間で形状の違いが生じないため、特別な形状の部品を別途用意する必要がないという利点がある。
【発明を実施するための最良の形態】
【００２８】
本発明に係る横桟取付金具及びそれを用いた防護柵について、以下に、図面を用いて、説明する。
【実施例１】
【００２９】
図１に、本発明にかかる横桟取付金具１の一例を示す。(a)は正面図、(b)は(a)のＡ−Ａ断面図（右側面図）、(c)は(a)のＢ−Ｂ断面図（上面図）である。
【００３０】
横桟取付金具１は、円筒状の保持部材１１とブラケット１２からなり、保持部材１１はその中央部を水平かつ長手方向に対して直角に貫通する工具挿入孔１５、１５’を有するとともに、長手方向の両端部の底部にボルト挿入孔２１、２１’を有している。
【００３１】
ブラケット１２は保持部材１１を支柱２に取り付けるための部材であり、支柱固定ボルトを通す貫通孔２３を有している。ブラケットは、保持部材１１を支柱２に取り付けることができる機能を有していれば良く、その構造・形状を限定するものではないが、車両が防護柵に衝突してブラケットに応力がかかっても変形しにくい筒状体が望ましい。たとえば、図１に示すような、上下２枚の水平板３１、３１’と左右２枚の側板３２、３２’と取付壁３３からなる筒状体が望ましい。
【００３２】
図１に示すブラケット１２は、上下２枚の水平板３１、３１’及び左右２枚の側板３２、３２’並びに支柱固定ボルトを通す貫通孔２３を有する取付壁３３からなる筒状体である。そして、その取付壁３３の外面形状は、円柱状の支柱の外面の凸形状の曲率に合わせた凹形状の曲面部３５を有している。このように、取付壁３３の外面形状を支柱の外面形状に適合させる場合には、横桟取付金具１を支柱に堅固に取り付けることができるので、頑丈な防護柵を形成することができる。なお、筒状体を形成する水平板、側板及び取付壁を、厚くすることによって、車両が防護柵に衝突してブラケットに応力がかかっても、変形しにくい構造とすることができる。
【００３３】
横桟取付金具の材質は、保持部材、ブラケットとも、特に限定されるものではないが、アルミニウム、炭素鋼、ステンレス鋼等を用いることができる。また、保持部材１１とブラケット１２は、ここでは、溶接Ｗによって保持部材１１と一体に接合された例が示されているが、溶接による接合でなくても、例えば、ボルトナット等により、固定されていればよい。保持部材とブラケットが一体に接合されると、車両が防護柵に衝突して保持部材とブラケットに応力がかかっても変形しにくくなる。
【００３４】
また、ブラケットの筒状体を構成する取付壁３３の外面形状は、ここでは、支柱の外面の凸形状の曲率に合わせた凹形状の曲面部３５を有する例が示されているが、取付壁３３の外面形状を支柱２の外面形状に適合させることができればよく、他の手段によっても、横桟取付金具１を支柱に緊密に取り付けることができる。たとえば、取付壁の外面形状を平面とし、代わりに筒状体を形成する左右の側板を支柱の外面の凸形状と適合する分だけ支柱側に突き出すだけでも良い。
【００３５】
次に、本発明にかかる横桟取付金具を用いて、横桟を支柱に取り付けて防護柵を形成するときの手順を説明する。
【００３６】
図２に、本発明にかかる横桟取付金具１を用いて、横桟３を支柱２に取り付けたときの状態を示す。(a)は車道側からみた正面図、(b)は(a)のＡ−Ａ断面図（右側面図）、(c)は(a)のＢ−Ｂ断面図（上面図）である。
【００３７】
支柱２には、横桟取付金具１を支柱２に固定するためのボルト挿入孔２０が歩道側に穿たれており、ボルト挿入孔２０の支柱側の内面部にはナット５が溶接などで固定されている。ここに、図１で示された横桟取付金具１のブラケット１２の取付壁の貫通孔２３を支柱２のボルト挿入孔２０に合わせ、保持部材の工具挿入孔１５’から、支柱固定ボルト４の先をブラケット１２の取付壁の貫通孔に挿入し、さらに支柱２のボルト挿入孔２０に挿入する。そして、支柱内面部のナット５に締め付けることによって、横桟取付金具１が支柱２に固定される。
【００３８】
ここで、支柱固定ボルト４の頭の形状は六角ボルトであるが、保持部材の工具挿入孔１５、１５’の径を小さくしたいときは、六角ボルトに代えて、円筒ボルトを用いることができる。
【００３９】
ブラケット１２の取付壁の外面には、円柱状の支柱２の外面形状の曲率に合わせた曲面部が形成されていて、支柱２の外面形状に適合しているので、横桟取付金具１を支柱２に堅固に固定することができる。
【００４０】
横桟取付金具１への横桟３の取付は次の手順のいずれかで行うことができる。すなわち、予め横桟３の端部を保持部材１１の長手方向の片端部に挿入し、横桟固定用ボルト６で固定しておいてから横桟取付金具１を支柱２に支柱固定ボルト４で固定しても良いし、若しくは、予め保持部材１１の長手方向の両端部に挿入し、固定しておいてから横桟取付金具１を支柱２に固定しても良い。又は、横桟取付金具１を支柱２に固定してから、横桟３の端部を保持部材１１の長手方向の片端部又は両端部に挿入し、横桟固定用ボルト６で固定してもよい。
【００４１】
ここでは、支柱固定ボルト４を支柱２に固定するために、支柱内面にナットを溶接により接合して締め付けたが、ナットに代えて、ボルト挿入孔の内周面に雌ネジを切って、これにボルトを嵌めて締め付けても良い。
【００４２】
図３は、本発明にかかる横桟取付金具を用いて横桟を取り付けて形成された防護柵（支柱の一部は地中に埋められている）を車道側から眺めた図であり、すっきりした外観が得られることが分かる。
【００４３】
以上は、横桟を保持部材に内挿してから固定する例を示したが、保持部材の外面形状を工夫することによって、横桟を保持部材に外挿してから固定することもできる。
【００４４】
図４は、本発明にかかる横桟取付金具１の別の例を示す。(a)は正面図、(b)は(a)のＡ−Ａ断面図（右側面図）、(c)は(a)のＢ−Ｂ断面図（上面図）である。
【００４５】
円筒状の保持部材１１が、その中央部を水平かつ長手方向に対して直角に貫通する工具挿入孔１５、１５’を有するとともに、長手方向の両端部の底部にボルト挿入孔２１、２１’を有していることは、図１に示す保持部材と同じである。
【００４６】
ただし、円筒状の保持部材１１の壁厚は、保持部材の中央部と両端部の間に段差２２がついていて、中央部が厚く、そして、両端部では薄くなっている。図１に示す保持部材においては保持部材の内径は横桟の外径とほぼ同じであったが、図４に示す保持部材においては保持部材の両端部の外径が横桟の内径とほぼ同じに形成されている。したがって、横桟を保持部材に外挿してから固定することもできる。
【００４７】
図５は、図４に示す保持部材を有する横桟取付金具を用いて横桟を取り付けて形成された防護柵（支柱の一部は地中に埋められている）を車道側から眺めた図である。横桟３と保持部材１１の間に段差のないことから、すっきりした外観が得られることが分かる。
【００４８】
さらに、本発明にかかる横桟取付金具は、横桟取付金具の保持部材の内面に円筒状のインナースリーブを内蔵することもできる。
【００４９】
図６に、横桟取付金具の保持部材の内面に内蔵される円筒状のインナースリーブの一例を示す。(a)はインナースリーブの断面図（正面図）であり、(b)は(a)のＡ−Ａ断面図（右側面図）である。
【００５０】
インナースリーブ８には、その中央部を水平かつ長手方向に対して直角に貫通する工具挿入孔１８、１８’が設けられ、同じく中央部にはインナースリーブ８を横桟取付金具の保持部材（図示せず）に固定するための雌ネジ１９が設けられている。そして、インナースリーブ８の長手方向の両端部には横桟（図示せず）の端部を外挿した後に固定するための雌ネジ１６が設けられている。
【００５１】
インナースリーブに設けられた雌ネジ１９及び雌ネジ１６には、それぞれ、保持部材及び横桟を固定するためのボルトが挿入されるが、そのために、保持部材及び横桟には雌ネジ１９及び雌ネジ１６に対応する個所に、ボルト挿入孔がそれぞれ穿たれている。
【００５２】
また、インナースリーブ８の長手方向の長さは、横桟取付金具の保持部材の長手方向の長さよりも長く、そのため、横桟取付金具の保持部材に内蔵された状態でインナースリーブの両端とも、横桟取付金具の保持部材の両端から、いずれもはみ出ることになる。このはみ出た部分は、後述するように、横桟の端部を外挿する部分となる。
【００５３】
なお、インナースリーブ８を横桟取付金具の保持部材に固定する雌ネジ１９は、ここでは、インナースリーブの中央部に１個所だけ設けられているが、１個所に限定されることはなく、複数設けて、インナースリーブを横桟取付金具の保持部材に固定しても良い。また、インナースリーブ８に横桟を固定する雌ネジ１６は、ここでは、インナースリーブの両端部に、それぞれ２個所設けられているが、それぞれ１個所でも構わない。
【００５４】
そして長手方向の両端部に横桟の端部を外挿した後に固定するために雌ネジ１６を用いたが、これらの雌ネジに代えて、ナットを用いて横桟取付金具の保持部材に固定し、あるいは横桟３の端部を外挿した後に固定してもよい。
【００５５】
横桟取付部材へのインナースリーブの取付の手順は、次のとおりである。インナースリーブを横桟取付金具の保持部材に内挿させた後に、それぞれの工具挿入孔の位置が合致する位置において、インナースリーブ８を横桟取付金具の保持部材に固定するためのボルト（図示せず）を、雌ネジ１９に挿入する。そして、このネジを締め付けることによって、インナースリーブ８は横桟取付金具に固定される。
【００５６】
インナースリーブ８を保持部材に内蔵した横桟取付金具への横桟の取付は次の手順のいずれかで行うことができる。すなわち、予め横桟の端部をインナースリーブ８の片端部に外挿し横桟固定用ボルトで固定しておいてから、インナースリーブ８を内蔵した横桟取付金具を支柱に固定しても良いし、若しくは、予めインナースリーブ８の両端部に外挿し固定しておいてから支柱に固定しても良い。又は、インナースリーブ８を保持部材に内蔵した横桟取付金具を支柱に固定してから、横桟の端部をインナースリーブ８の片端部又は両端部に外挿し横桟固定用ボルトで固定してもよい。
【００５７】
図６においては、１本の円筒からなるインナースリーブを１個の保持部材の内面に内蔵させた例を示したが、２本の円筒を１個の保持部材の内面に左右から挿入することによってもインナースリーブを内蔵させることもできる。２本の円筒からなるインナースリーブを内蔵させるときは、インナースリーブ８を横桟取付金具の保持部材に固定する雌ネジ１９が、少なくとも２個所は必要となる。
【００５８】
図７は、図６に示すインナースリーブを横桟取付金具の保持部材の内面に内蔵した横桟取付金具を用いて横桟を取り付けてなる防護柵（支柱の一部は地中に埋められている）を車道側から眺めた図である。横桟および横桟取付金具の外径がほぼ同一となるので、すっきりした外観の防護柵が得られることが分かる。
【実施例２】
【００５９】
本発明にかかる横桟取付金具を構成するブラケットは、壁板に支柱固定ボルトを通す貫通孔を有する筒状部材と、固定ボルト用の貫通孔又はねじ穴を有する取付基台部材から形成されていても良い。なお、貫通孔を採用する場合には、固定ボルトをナットで締め付けることもできるので、貫通孔の内周面に雌ネジを切ることは必ずしも必要ではない。しかし、雌ネジを切っておくと、これにボルトを嵌めて締め付けることができるので、ナットを省くことができるし、また、雌ネジを切っておくと雌ネジとナットの両方でボルトを締め付けることもできるので、貫通孔を採用する場合であっても、雌ネジを切っておくのが好ましい。
【００６０】
図８及び図９は、本発明にかかる横桟取付金具において、筒状部材１３と取付基台部材１４から形成されるブラケットを用いる場合の一例を示す。
【００６１】
図８は、ブラケットを構成する部材のうち、筒状部材１３を保持部材１１に取り付けた図であり、(a)は正面図、(b)は(a)のＡ−Ａ断面図（右側面図）、(c)は(a)のＢ−Ｂ断面図（上面図）である。
【００６２】
円筒状の保持部材１１が、その中央部を水平かつ長手方向に対して直角に貫通する工具挿入孔１５、１５’を有するとともに、長手方向の両端部の底部にボルト挿入孔２１、２１’を有していることは、図１に示す保持部材と同じである。
【００６３】
そして、筒状部材１３は支柱固定ボルト（図示せず）を通す貫通孔２３を有する。筒状部材１３は、薄肉の円管３９と円板状の壁板３７からなる。壁板３７は、支柱固定ボルトを通す貫通孔２３を中央部に有しており、図９に示す取付基台部材に壁板の外側で当接する。なお、壁板の形状は、図８においては、円形であるが、円形に限らず、矩形でも良い。また、筒状部材を形成する円管３９と壁板３７の厚みを増すことによって、車両が防護柵に衝突して筒状部材に応力がかかっても、変形しにくい構造とすることができる。
【００６４】
筒状部材の材質は、特に限定されるものではないが、アルミニウム、炭素鋼、ステンレス鋼等を用いることができる。また、保持部材と筒状部材は、ここでは、溶接によって一体に接合された例が示されているが、溶接による接合でなくても、鋳造によって一体に成形されていても良い。さらに、例えば、ボルトナット等により、固定されていてもよい。保持部材と筒状部材が一体に接合されると、車両が防護柵に衝突して保持部材と筒状部材に応力がかかっても変形しにくくなる。
【００６５】
図９は、ブラケットを構成する部材のうち、取付基台部材１４を示す。(a)は正面図、(b)は(a)のＡ−Ａ断面図（右側面図）、(c)は(a)のＢ−Ｂ断面図（上面図）である。
【００６６】
取付基台部材１４は、支柱固定ボルト（図示せず）を固定するための貫通孔２５を中央部に有する。そして、筒状部材１３の壁板３７に当接する円形の平面部３８と、円柱状の支柱の外面の凸形状の曲率に合わせた凹形状の曲面部３５を有している。
【００６７】
このように、取付基台部材１４の外面形状を支柱の外面形状に適合させる場合には、取付基台部材１４を支柱に堅固に取り付けることができるので、頑丈な防護柵を形成することができる。なお、取付基台部材１４の正面形状は、図９においては、円形であるが、円形に限定されず、矩形でも良い。
【００６８】
取付基台部材の材質は、特に限定されるものではないが、アルミニウム、炭素鋼、ステンレス鋼等を用いることができる。また、ここでは、取付部材に支柱固定用ボルトを固定するために貫通孔を設けたが、代わりに、ねじ穴を設けても良い。
【００６９】
次に、このように、筒状部材１３と取付基台部材１４から形成されるブラケットと保持部材を用いて、横桟を支柱に取り付けて防護柵を形成するときの手順を説明する。
【００７０】
図１０に、図８に示す筒状部材を取り付けた保持部材と、図９に示す取付基台部材を用いて、横桟３を支柱２に取り付けたときの状態を示す。(a)は車道側からみた正面図、(b)は(a)のＡ−Ａ断面図（右側面図）、(c)は(a)のＢ−Ｂ断面図（上面図）である。
【００７１】
まず、支柱２の歩道側に、図９に示される取付基台部材１４を溶接Ｗによって接合する。この取付基台部材１４は、支柱固定ボルト４を固定するためのねじ穴を中央部に有している。ここで、取付基台部材１４の支柱側の外面形状は、支柱２の外面形状の曲率に合わせた曲面部を有していて、支柱２の外面形状に適合しているので、取付基台部材１４を支柱２に堅固に接合することができる。
【００７２】
このようにして支柱２に接合された取付基台部材に、図８で示された筒状部材１３の壁板を当接させ、取付基台部材のねじ穴と筒状部材１３の壁板の貫通孔とを合わせた後、保持部材の工具挿入孔１５’から、支柱固定ボルト４の先を筒状部材１３の壁板の貫通孔に挿入し、さらに取付基台部材１４の貫通孔２５に挿入する。そして、支柱固定ボルト４の先を貫通孔の内周面に切られた雌ネジに締め付けることによって、保持部材１１と筒状部材１３が支柱２に固定される。
【００７３】
取付基台部材の支柱への固定は、ここでは、溶接によって接合した例を示したが、溶接でなくて、ボルトナットで固定しても良い。あるいは、貫通孔の内周面に雌ネジを切ってこれにボルトを嵌めて締め付けても良い。
【００７４】
保持部材１１への横桟３の取付は、前述したとおり、次の手順のいずれかで行うことができる。すなわち、予め横桟３の端部を保持部材１１の長手方向の片端部に挿入し横桟固定用ボルト６で固定しておいてから、保持部材１１に取り付けられた筒状部材１３を支柱２に接合された取付基台部材に支柱固定ボルト４で固定しても良い。若しくは、予め横桟３の端部を保持部材１１の長手方向の両端部に挿入し固定しておいてから、取付基台部材に支柱固定ボルト４で固定しても良い。又は、保持部材１１に取り付けられた筒状部材１３を支柱２に接合された取付基台部材に支柱固定ボルト４で固定してから、横桟３の端部を保持部材１１の長手方向の片端部又は両端部に挿入し横桟固定用ボルト６で固定してもよい。
【００７５】
ここでは、支柱固定ボルト４を支柱２に固定するために、取付基台部材１４を溶接により接合し、取付基台部材１４に設けた貫通孔２５の内周面に雌ネジを切ってボルトを締め付けたが、支柱内面に溶接により接合したナットに締め付けてもよい。ナットに締め付けるときは、ボルト貫通孔の内周面に雌ネジを切ることを省略しても良いが、雌ネジを切った上で、さらにナットに締め付けるのが好ましい。
【００７６】
図１１は、図８に示す筒状部材を取り付けた保持部材と、図９に示す取付基台部材を用いて、勾配のある道路において、横桟３を支柱２に取り付けたときの防護柵（支柱の一部は地中に埋められている）の状態を示す。このように、筒状部材と取付基台部材からなるブラケットを用いる場合には、筒状部材１３の壁板と取付基台部材の当接角度を調整することができるので、勾配のある道路においても、支柱への取付作業が容易であるとともに、すっきりした外観の防護柵が得られることが分かる。
【００７７】
また、ブラケットを構成する筒状部材及び取付基台部材として、ともに円筒形状のものを用いる場合には、支柱への取付角度を調整しても、部材間で形状の違いが生じないため、特別な形状の部品を別途用意する必要がない。
【実施例３】
【００７８】
本発明にかかるブラケットが、壁板に支柱固定ボルトを通す貫通孔を有する筒状部材と、固定ボルト用の貫通孔又はねじ穴を有する取付基台部材から形成されている横桟取付金具の上述のとおりである。この場合において、筒状部材と取付基台部材が、円柱状と円筒状の組合せ又は円錐台状と円錐面状の組合せ等により嵌合されて、筒状部材が回転可能となることが好ましい。
【００７９】
図１２及び図１３並びに図１４によって、ブラケットが筒状部材と取付基台部材から形成されている場合であって、筒状部材が取付基台部材１４に対して回転可能に嵌合されているときの横桟取付金具を説明する。
【００８０】
図１２は、ブラケットを構成する部材のうち、筒状部材１３を保持部材１１に取り付けた図であり、(a)は正面図、(b)は(a)のＡ−Ａ断面図（右側面図）、(c)は(a)のＢ−Ｂ断面図（上面図）である。
【００８１】
円筒状の保持部材１１が、その中央部を水平かつ長手方向に対して直角に貫通する工具挿入孔１５、１５’を有するとともに、長手方向の両端部の底部にボルト挿入孔２１、２１’を有していることは、図８に示す保持部材と同じである。
【００８２】
そして、筒状部材１３は支柱固定ボルト（図示せず）を通す貫通孔２３を有するとともに、薄肉の円管３９と円板状の壁板３７からなることも、図８に示す筒状部材と同じである。しかしながら、壁板３７は、円板状ではなく、壁板の外面は円柱状の突起４１を有している。そして、壁板の外側は取付基台部材と当接するとともに、この突起４１の部分において取付基台部材の円筒状の窪みと嵌合する。なお、壁板の形状は、図１３においては、円形であるが、円形に限定されず、矩形でも良い。
【００８３】
また、このような嵌合部を有する筒状部材についても、筒状部材を形成する円管３９と壁板３７の厚みを増すことによって、車両が防護柵に衝突して筒状部材に応力がかかっても、より変形しにくい構造とすることができる。
【００８４】
図１３は、円管３９と壁板３７の厚みを増したときの筒状部材１３を保持部材１１に取り付けた図であり、(a)は正面図、(b)は(a)のＡ−Ａ断面図（右側面図）、(c)は(a)のＢ−Ｂ断面図（上面図）である。
【００８５】
図１４に、ブラケットを構成する部材のうち、取付基台部材１４を示す。(a)は正面図、(b)は(a)のＡ−Ａ断面図（右側面図）、(c)は(a)のＢ−Ｂ断面図（上面図）である。
【００８６】
取付基台部材１４は、支柱固定ボルト（図示せず）を固定するための貫通孔２５を中央部に有することと、支柱２の外面の凸形状の曲率に合わせた凹形状の曲面部３５を有することは、図９に示す取付基台部材とおなじである。
【００８７】
しかしながら、筒状部材１３の壁板３７に当接する側の取付基台部材１４の形状は、円板状ではなく、円筒状の窪み４２を有している。そして、取付基台部材１４は筒状部材の壁板の外側と当接するとともに、この円筒状の窪み４２の部分において筒状部材の壁板の外側の円柱状の突起と嵌合する。したがって、筒状部材は支柱固定ボルトを回転軸として垂直方向に回転可能となる。
【００８８】
なお、ここでは、筒状部材の壁板に円柱状の突起を、そして取付基台部材に円筒状の窪みを、それぞれ形成して嵌合する例を示したが、これを逆にして、筒状部材の壁板に円筒状の窪みを、そして取付基台部材に円柱状の突起を、それぞれ形成して嵌合してもよいことは言うまでもない。さらに、嵌合を形成する形状は、円柱状と円筒状の組合せに代えて、円錐台状と円錐面状の組合せでもよい。
【００８９】
次に、このようにな筒状部材１３と取付基台部材１４から形成されるブラケットと保持部材を用いて、横桟を支柱に取り付けて防護柵を形成するときの手順を説明する。
【００９０】
支柱２には、支柱固定ボルト４を固定するための貫通孔を中央部に有する取付基台部材１４が、支柱２の歩道側に溶接によって接合されていることは、図１０と同じである。保持部材１１と筒状部材１３を支柱２に固定するための支柱固定ボルト４は、ここでは、六角ボルトではなく、円頭ボルトが用いられている。円頭ボルトを用いた場合には、工具挿入孔の径を小さくすることができるという利点がある。
【００９１】
そして、保持部材１１と筒状部材１３を支柱２に固定する際には、支柱２に接合された取付基台部材１４に筒状部材１３の壁板を当接させるのであるが、筒状部材の壁板の突起と取付基台部材の窪みを嵌合させることによって、筒状部材１３の左右及び上下の方向への移動を拘束することができる。ただし、筒状部材１３は支柱固定ボルト４を回転軸として垂直方向に回転可能となる。
【００９２】
したがって、図１２に示す筒状部材を取り付けた保持部材と、図１４に示す取付基台部材を用いて、横桟３を支柱２に取り付けるときには、筒状部材の壁板の突起と取付基台部材の窪みを嵌合させることができ、筒状部材１３は左右及び上下の方向への移動が拘束されるので、横桟３が支柱２に堅固に取り付けられる。
【００９３】
さらに、勾配のある道路において横桟３を支柱２に取り付けるときには、支柱固定ボルト４を回転軸として垂直方向に回転可能となるので、筒状部材１３の壁板と取付基台部材の当接角度を調整することができるので、支柱への取付作業が容易であるとともに、横桟が支柱に堅固に固定された防護柵が得られる。
【産業上の利用可能性】
【００９４】
本発明は、車道と歩道との境界に設置される防護柵の支柱に横桟を取り付ける金具及びそれを用いた防護柵に関し、その金具は横桟保持部材が二分割されておらず、しかも取付ボルトが支柱の歩道側に突き出ることがないので、衣服などに絡むことがなく、また、この金具を用いれば防護柵を美観を損なうことなく設置することができる。
【図面の簡単な説明】
【００９５】
【図１】本発明にかかる横桟取付金具の一例を示す。(a)は正面図、(b)は(a)のＡ−Ａ断面図（右側面図）、(c)は(a)のＢ−Ｂ断面図（上面図）である。
【図２】本発明にかかる横桟取付金具を用いて、横桟を支柱に取り付けたときの状態を示す。(a)は車道側からみた正面図、(b)は(a)のＡ−Ａ断面図（右側面図）、(c)は(a)のＢ−Ｂ断面図（上面図）である。
【図３】本発明にかかる横桟取付金具を用いて横桟を取り付けて形成された防護柵を車道側から眺めた図である。
【図４】本発明にかかる横桟取付金具１の別の例を示す。(a)は正面図、(b)は(a)のＡ−Ａ断面図（右側面図）、(c)は(a)のＢ−Ｂ断面図（上面図）である。
【図５】図４に示す保持部材を有する横桟取付金具を用いて横桟を取り付けて形成された防護柵を車道側から眺めた図である。
【図６】横桟取付金具の保持部材の内面に内蔵される円筒状のインナースリーブの一例を示す。(a)はインナースリーブの断面図（正面図）であり、(b)は(a)のＡ−Ａ断面図（右側面図）である。
【図７】図６に示すインナースリーブを横桟取付金具の保持部材の内面に内蔵した横桟取付金具を用いて横桟を取り付けてなる防護柵を車道側から眺めた図である。
【図８】ブラケットを構成する部材のうち、筒状部材を保持部材に取り付けた図であり、(a)は正面図、(b)は(a)のＡ−Ａ断面図（右側面図）、(c)は(a)のＢ−Ｂ断面図（上面図）である。
【図９】ブラケットを構成する部材のうち、取付基台部材を示す。(a)は正面図、(b)は(a)のＡ−Ａ断面図（右側面図）、(c)は(a)のＢ−Ｂ断面図（上面図）である。
【図１０】図８に示す筒状部材を取り付けた保持部材と、図９に示す取付基台部材を用いて、横桟を支柱に取り付けたときの状態を示す。(a)は車道側からみた正面図、(b)は(a)のＡ−Ａ断面図（右側面図）、(c)は(a)のＢ−Ｂ断面図（上面図）である。
【図１１】図８に示す筒状部材を取り付けた保持部材と、図９に示す取付基台部材を用いて、勾配のある道路において、横桟を支柱に取り付けたときの状態を示す。
【図１２】ブラケットを構成する部材のうち、筒状部材を保持部材に取り付けた図であり、(a)は正面図、(b)は(a)のＡ−Ａ断面図（右側面図）、(c)は(a)のＢ−Ｂ断面図（上面図）である。
【図１３】水平板と側板と壁板を厚板で形成したときの筒状部材を保持部材に取り付けた図であり、(a)は正面図、(b)は(a)のＡ−Ａ断面図（右側面図）、(c)は(a)のＢ−Ｂ断面図（上面図）である。
【図１４】ブラケットを構成する部材のうち、取付基台部材を示す。(a)は正面図、(b)は(a)のＡ−Ａ断面図（右側面図）、(c)は(a)のＢ−Ｂ断面図（上面図）である。
【図１５】図１２に示す筒状部材を取り付けた保持部材と、図１３に示す取付基台部材を用いて、横桟を支柱に固定したときの状態を示す。(a)は車道側からみた正面図、(b)は(a)のＡ−Ａ断面図（右側面図）、(c)は(a)のＢ−Ｂ断面図（上面図）である。
【符号の説明】
【００９６】
１  横桟取付金具
２  支柱
３  横桟
４  支柱固定ボルト
５  支柱固定用ナット
６  横桟固定用ボルト
７  横桟固定用ナット
８  インナースリーブ
１１  保持部材
１２  ブラケット
１３  筒状部材
１４  取付基台部材
１５  保持部材の工具挿入孔
１６  インナースリーブの雌ネジ（横桟端部固定用）
１８  インナースリーブの工具挿入孔
１９  インナースリーブの雌ネジ（保持部材固定用）
２０  支柱固定ボルト挿入孔
２１  横桟固定用ボルト挿入孔
２２  段差
２３  取付壁の貫通孔
２４  壁板の貫通孔
２５  取付基台部材の貫通孔
３１  水平板
３２  側板
３３  取付壁
３４  筒状体
３５  曲面部
３６  取付基台部材
３７  壁板
３８  平面部
３９  円管
４１  壁板の突起
４２  取付基台部材の窪み
Ｗ  溶接
【図１】
2005264542.tif 000003
【図２】
2005264542.tif 000004
【図３】
2005264542.tif 000005
【図４】
2005264542.tif 000006
【図５】
2005264542.tif 000007
【図６】
2005264542.tif 000008
【図７】
2005264542.tif 000009
【図８】
2005264542.tif 000010
【図９】
2005264542.tif 000011
【図１０】
2005264542.tif 000012
【図１１】
2005264542.tif 000013
【図１２】
2005264542.tif 000014
【図１３】
2005264542.tif 000015
【図１４】
2005264542.tif 000016
【図１５】
2005264542.tif 000017